(57)【要約】【課題】  情報記録媒体に読み取り不良が生じた際、その処理状況をユーザに的確に認知させる。【解決手段】  情報記録媒体再生装置１０は、情報が記録された情報記録媒体から情報を再生しつつ情報の再生開始からの時間を所定の時間間隔で再生時間として表示する。再生制御部１２は、情報記録媒体からの情報読み取り不良を検知する。制御装置１１は情報読み取り不良が検知されると、所定の時間間隔と異なる時間間隔に応じて擬似再生時間を求めて、擬似再生時間に応じてスキップ処理を行うとともに擬似再生時間を表示部１８に表示する。【選択図】        図１
2006331550.tif 000002
【特許請求の範囲】
【請求項１】
情報が記録された情報記録媒体から前記情報を再生しつつ前記情報の再生開始からの時間を所定の時間間隔で再生時間として表示する情報記録媒体再生装置において、
前記情報記録媒体からの情報読み取り不良を検知する読み取り不良検知手段と、
前記情報読み取り不良が検知されると、前記所定の時間間隔と異なる時間間隔に応じて
擬似再生時間を求める擬似再生時間演算手段と、
前記擬似再生時間に応じてスキップ処理を行うとともに前記擬似再生時間を表示部に表示する制御手段とを備えた情報記録媒体再生装置。
【請求項２】
前記擬似再生時間演算手段は、再生時間に予め規定された時間を加算して擬似再生時間を求めるようにしたことを特徴とする請求項１記載の情報記録媒体再生装置。
【請求項３】
情報記録媒体には少なくとも該情報記録媒体に書き込まれた情報の数及び情報毎の時間並びに情報の番号情報を示す識別情報が記録されており、
前記識別情報と擬似再生時間とに応じて各情報の先頭時間と前記擬似再生時間とを比較して現情報を検索する時間比較手段と、
前記擬似再生時間と検索した現情報の先頭時間との差をトラック再生時間として得るトラック変換手段とを有し、
制御手段は情報番号及びトラック再生時間を表示部に表示するようにしたことを特徴とする請求項１又は請求項２記載の情報記録媒体再生装置。
【請求項４】
擬似再生時間演算手段は、スキップ処理が連続して行われると、擬似再生時間の間隔を変化させるようにしたことを特徴とする請求項１記載の情報記録媒体再生装置。
【請求項５】
情報記録媒体には複数の情報が記録されており、
前記情報の一つ全体に亘ってスキップ処理が行われると、制御手段は当該情報の情報番号を記録して、再度前記情報記録媒体の再生が行われる際記録された情報番号に応じて当該情報全体をスキップ処理するようにしたことを特徴とする請求項３記載の情報記録媒体再生装置。
【発明の詳細な説明】
【技術分野】
【０００１】
この発明は、光ディスク等の情報記録媒体から情報を再生するための情報記録媒体再生装置に関し、特に、情報記録媒体の読み取り不良が発生した際のサーチ処理を行う情報記録媒体再生装置に関するものである。
【背景技術】
【０００２】
情報記録媒体再生装置（以下単に再生装置と呼ぶ）では、光ディスク等の情報記録媒体に書き込まれた情報（例えば、音楽情報）を読み取ってこの音楽情報を音楽として再生出力しているが、音楽情報を再生する際には、光ディスクから読み取ったＳＵＢＱ情報から再生時間及び曲番号情報等を生成して表示するようにしている。
【０００３】
一方、情報記憶媒体に傷又は汚れがあると、その部分で読み取り不良が発生する。このような読み取り不良に対処するため、再生装置に誤り訂正機能を備えて、多少の傷又は汚れがあっても、誤り訂正機能によって情報を修復して（訂正して）再生するようにしているものがある。ところが、誤り訂正機能では修復できない程の傷又は汚れ等が情報記録媒体にあると、再生の際に見苦しいノイズが発生してしまうことになる。
【０００４】
このような不具合に対処するため、つまり、誤り訂正機能によって修復不可能な傷等が存在する際、予め不揮発性メモリにその記録媒体の識別情報とエラー箇所とを記憶して、記録媒体を再生するとき、事前に不揮発性メモリに記憶された識別情報及びエラー位置を読出して、エラー位置では再生をスキップするようにしたものがある（例えば、特許文献１参照）。つまり、情報記録媒体で読み取り不良が生じると、読み取り可能な位置までサーチ（例えば、スキップ）を行った後再生を再開している。
【０００５】
【特許文献１】特開２００１−２７３７３０号公報（第３頁〜第４頁、第１図〜第６図）
【発明の開示】
【発明が解決しようとする課題】
【０００６】
従来の再生装置は以上のように構成されているので、サーチによるスキップを行っている際には、前述の再生時間の表示が停止されることになって、音楽等を視聴しているユーザにとっては音楽が途切れ、且つ前述の表示時間も表示されないことになってしまい、ユーザは光ディスク等の情報記録媒体の再生状況が把握できなくなってしまう。
【０００７】
言い換えると、ユーザは再生中に音楽が途切れ且つ表示時間が表示されない状態となると、再生装置自体が故障等を起こしたと思うこともあり、ユーザにとって情報記録媒体に不具合があるか、再生装置が故障したか、その他の不具合が生じたか見分けがつかなくなってしまい、情報記録媒体上の傷等によって読み取り不良が生じた際、再生装置における処理状況を認識できなくなってしまうという課題があった。
【０００８】
この発明は上記のような課題を解決するためになされたもので、情報記録媒体に読み取り不良が生じた際、その処理状況をユーザに的確に認知させることのできる情報記録媒体再生装置を提供することを目的とする。
【課題を解決するための手段】
【０００９】
この発明に係る情報記録媒体再生装置は、情報が記録された情報記録媒体から情報を再生しつつ情報の再生開始からの時間を所定の時間間隔で再生時間として表示する。情報記録媒体再生装置は、情報記録媒体からの情報読み取り不良を検知する読み取り不良検知手段と、情報読み取り不良が検知されると、所定の時間間隔と異なる時間間隔に応じて擬似再生時間を求める擬似再生時間演算手段と、擬似再生時間に応じてスキップ処理を行うとともに擬似再生時間を表示部に表示する制御手段とを有することを特徴とするものである。
【発明の効果】
【００１０】
この発明によれば、情報読み取り不良が検知されると、再生時間と異なる時間間隔に応じて擬似再生時間を求めて、擬似再生時間に応じてスキップ処理を行うとともに擬似再生時間を表示部に表示するように構成したので、情報記録媒体に読み取り不良が生じた際、スキップ処理が行われているという処理状況をユーザに的確に認知させることができるという効果がある。
【発明を実施するための最良の形態】
【００１１】
実施の形態１．
図１はこの発明の実施の形態１による情報記録媒体再生装置の一例である光ディスク再生装置を示す図であり、図示の光ディスク再生装置１０は制御装置１１、再生制御部１２、モータドライバ１３、スピンドルモータ１４、ピックアップ駆動モータ１５、ピックアップ１６、高周波（ＲＦ）アンプ１７、及び表示部１８を有している（なお、スピーカ等の他の構成要素は省略されている）。
【００１２】
光ディスクの一つであるＣＤ１９を再生する際には、再生制御部１２は制御装置１１の制御下でモータドライバ１３を制御して、スピンドルモータ１４によってＣＤ１９を回転駆動するとともに、ピックアップ駆動モータ１５を駆動して、ピックアップ１６を図中実線矢印で示す上下方向及び左右方向に移動させて、ＣＤ１９に記録された情報（例えば、音楽情報）を読み取る。ＣＤ１９から読み取られた音楽情報はＲＦアンプ１７で増幅された後、再生制御部１２でデコードされて、音楽信号として出力され、スピーカから音楽（音響）として出力される。
【００１３】
ところで、ＣＤ１９には音楽情報の曲数及び演奏時間並びに曲番号情報を示すＴＯＣ（Ｔａｂｌｅ  ｏｆ  Ｃｏｎｔｅｎｔｓ）情報（識別情報）が記録されており、音楽情報を再生する際には、ＴＯＣ情報が再生制御部１２から制御装置１１に与えられて、制御装置１１は曲番号情報を表示部１８に表示するとともに、当該曲番号情報に係る音楽の演奏時間及び再生時間（当該音楽の再生を開始してからの時間）を表示部１８に表示する。
【００１４】
前述したように、ＣＤ１９に傷等があると、その部分で読み取り不良となってしまうが、この際後述するようにしてスキップ処理を行うとともに、表示部１８に後述する擬似再生時間を表示して、ユーザにスキップ処理を行っている旨認知させる。
【００１５】
図２は図１に示す制御装置（マイコン）１１及び再生制御部（信号処理ＩＣ）１２の構成を示すブロック図であり、制御装置１１は、主再生制御部２１、サーチ制御部２２、ＴＯＣ情報記憶部２３、擬似再生時間演算手段２４、及び表示制御部２５を有しており、再生制御部１２はデコーダ３１、時間情報抽出部３２、データ欠落検出部（読み取り不良検知手段）３３、及びサーボ制御部３４を有している。なお、図２においては、スピンドルモータ１４及びピックアップ駆動モータ１５は省略されている。
【００１６】
図示のように、主再生制御部２１には時間情報抽出部３２及びデータ欠落検出部３３の出力が接続され、主再生制御部２１はサーボ制御部３４によってモータドライバ１３を介してピックアップを駆動制御するとともに、後述するようにして、表示制御部２５によって表示部１８に曲番号情報、演奏時間、及び再生時間を表示する。
【００１７】
ＣＤ１９が読み取り不良であると、つまり、ＲＦアンプ１７からの出力にデータ欠落があると、データ欠落検出部３３でデータ欠落が検出されて、その旨主再生制御部２１に伝えられる。主再生制御部２１でデータ欠落の旨を受けると、擬似再生時間演算手段２４を起動する。擬似再生演算手段２４は、後述するようにしてＴＯＣ情報記憶部２３に記憶されたＴＯＣ情報に基づいて擬似再生時間を演算して、表示制御部２５によって擬似再生時間を表示部１８に表示する。
【００１８】
一方、主再生制御部２１は擬似再生時間演算手段から与えられる擬似再生時間に応じてサーチ制御部２２によってサーボ制御部３４を制御し、スキップ処理を実行する。
【００１９】
次に動作について説明する。
図２を参照して、ここで、ＣＤ１９（図１）を再生する際の再生時間の表示について説明する。ピックアップ１６でＣＤ１９から読み取られた音楽情報はＲＦアンプ１７を介して再生制御部１２に与えられる。再生制御部１２では、デコーダ３１によって音楽情報がデコードされて、時間情報抽出部３２に与えられる。そして、時間情報抽出部３２では音楽情報中からＴＯＣ情報を抽出して、制御装置１１の主再生制御部２１に与える。主再生制御部２１はこのＴＯＣ情報をＴＯＣ情報記憶部２３に記憶するとともに、ＴＯＣ情報に応じて表示制御部２５を制御して、表示制御部２５によって前述の曲番号情報、演奏時間、及び再生時間を表示部１８に表示することになる。
【００２０】
いま、ＣＤ１９に傷等があると、その部分で読み取り不良が発生することになり、読み取り不良が発生すると、次のようにして、擬似再生時間を表示部１８に表示することになる。図３も参照して、読み込み処理が開始されると、フレーム読み込み処理が行われる（ステップＳＴ１）。前述したように、データ欠落検出部３３ではデータの欠落を検出しており、読み取り不良が発生すると、データ欠落検出部３３ではデータ欠落の旨主再生制御部２１に伝える（データ欠落の際には時間情報抽出部３２から受ける時間情報も途絶えることになる）。
【００２１】
主再生制御部２１ではフレーム読み込み処理が行われると、読み込みが失敗したか否かを判定し（ステップＳＴ２）、データ欠落の旨を受けると、読み込み失敗と判定する。一方、データ欠落の旨を受けなければ、正常であると判定し、バッファ転送処理（ステップＳＴ３）を行って音楽を再生し、ステップＳＴ１に戻る。
【００２２】
読み込み失敗と判定すると、主再生制御部２１は擬似再生時間演算手段２４を起動して、擬似再生演時間算手段２４によって擬似再生時間を演算する。図４に示すように、擬似再生時間演算手段２４は、時間比較手段４１、トラック（Ｔｒ）時間換算手段４２、及び擬似再生時間演算部４３を備えており、擬似再生時間演算部４３では擬似再生時間＝現ディスク（ＣＤ）再生時間＋ｎ秒として擬似再生時間を演算する（ｎは正の数である：ステップＳＴ４）。この擬似再生時間はディスク上の時間（ディスク時間）であり、擬似再生時間は主再生制御部２１及び時間比較手段４１に与えられる。
【００２３】
時間比較手段４１はＴＯＣ情報記憶部２３からＴＯＣ情報を読み込んで、ｉ（変数）＝ＴＯＣ最終トラック（Ｔｒ）を設定し（ステップＳＴ５）、Ｔｒ開始時間［ｉ−１］≦擬似再生時間であるか否かを判定する（ステップＳＴ６）。つまり、時間比較手段４１では、擬似再生時間に基づいてＴＯＣ情報中の各曲の先頭時間と擬似再生時間とを比較して、現曲番を検索することになる。
【００２４】
ステップＳＴ６において、Ｔｒ開始時間［ｉ−１］＞擬似再生時間であると、時間比較手段４１はｉ＝ｉ−１に設定して（ステップＳＴ７）、再度ステップＳＴ６を実行する。一方、Ｔｒ開始時間［ｉ−１］≦擬似再生時間であると、時間比較手段４１はトラック番号＝ｉとする（ステップＳＴ８）。つまり、検索した曲番を現曲番とする。
【００２５】
続いて、トラック時間換算手段４２は、トラック再生時間＝擬似再生時間−Ｔｒ開始時間［ｉ−１］を求めて（トラック時間への換算を行って（ステップＳＴ９））、つまり、擬似再生時間と検索した現曲の先頭時間との差をトラック再生時間にセットすることになる。そして、トラック時間換算手段４２は曲番号及びトラック再生時間を表示制御部２５に出力する（表示時間更新要求：ステップＳＴ１０）。表示制御部２５では表示時間更新要求に応じて表示部１８に曲番号及びトラック再生時間を表示することになる。
【００２６】
一方、主再生制御部２１では擬似再生時間演算部４３から擬似再生時間を受けると、サーチ制御部２２によってサーボ制御部３４を制御して、擬似再生時間に基づいてサーチ制御（スキップ処理）を行う（擬似再生時間へのサーチ：ステップＳＴ１１）。そして、ステップＳＴ１に戻る。
【００２７】
このようにして、ＣＤ１９に読み取り不良が生じると、擬似再生時間に応じて表示部１８に再生時間を表示するようにしたので、ユーザは表示部１８に表示される再生時間によってスキップ処理が行われていることを容易に認知することができる。この際、前述の擬似再生時間は１秒以外の秒数とされる。例えば、擬似再生時間＝３秒とすると、表示部１８に表示される再生時間は１秒毎の更新ではなくなって、これによってユーザは正常な再生中でない、つまり、スキップ処理が行われていることを容易に認知できることになる。
【００２８】
言い換えると、擬似再生時間＝１秒とすると、スキップ処理が１秒間隔で連続して発生した際、ユーザは１秒毎に時間更新される結果、正常に再生されているが、再生音が出力されないような故障があると誤認してしまうことになる。
【００２９】
上述の例において、スキップ処理中にユーザがストップ操作を行うと、主再生制御部２１はリジューム時間（次回再生開始位置）を現擬似再生時間とする。このようにすれば、既にスキップ処理を行った部分以降から再生処理を行うことになって、前回スキップ処理を行った部分を飛ばすことができる結果、短時間で正常な再生処理に移行することができることになる。
【００３０】
前述の擬似再生時間に応じた再生時間の表示は早送りモード及び早戻しモードの際にも行われ、早送りモード又は早戻しモードの際にユーザがストップ操作を行うと、主再生制御部２１では開始時間を現擬似再生時間とする。これによって、再度再生を行う際、既にスキップ処理を行った部分以降から再生処理を行うことになる。
【００３１】
また、スキップ処理中にユーザがポーズ操作を行うと、主再生制御部２１は擬似再生時間で示される位置をポーズ位置と看做す。このようにすれば、次の再生処理の際、既にスキップ処理を行った部分以降から再生処理を行うことになる。
【００３２】
加えて、ディスク残り再生時間が表示されている際に、スキップ処理が生じると、擬似再生時間演算手段２４は、ディスク残り再生時間を、ディスクの全再生時間と擬似再生時間との差として残時間表示の更新を行う。
【００３３】
また、現曲リピートモードの際に、前述のステップＳＴ５及びＳＴ６で曲番を検索した際、曲変化を検知すると、再生曲が終了したと判定し、現曲（再生曲）の先頭にサーチを行う。さらに、ランダムモードの際、前述のステップＳＴ５及びＳＴ６で曲番を検索した際、曲変化を検知すると、再生曲が終了したと判定し、ランダム選曲に移行する。
【００３４】
なお、曲内時間（Ｐ−ＴＩＭＥ）の演算を行う際には、ＴＯＣ情報中のトラック開始時間から得られたトラック番号の曲開始時間とＣＤの傷等よる読み取り不良によって加算した時間との差を求める。例えば、スキップ時間は、読み込み時間＋スキップ量とされ、再生トラックを検索する際には、スキップ時間に基づいてＴＯＣ情報からトラック開始時間を検索して、再生時間＝スキップ時間−トラック開始時間として求められる。
【００３５】
現再生曲番と再生トラック検索で得られた曲番とを比較して曲変化があったと判定すると、トラック番号表示の更新を行ってユーザに曲変化があったことを報知する。また、連続してスキップ処理が行われて、セッション終端又はディスク終端が検知されると、再生位置がセッション終端又はディスク終端にあるとして、例えば、ポーズ、トラックアップ、又はディスクチェンジ等の処理を行う。
【００３６】
さらに、一曲全てをスキップした際には、当該曲番を記憶して、次回の再生の際、当該曲を曲単位でスキップさせるようにしてもよく、連続してスキップ処理が行われた際には、スキップ処理の回数に応じてスキップ時間、つまり、擬似再生時間を変化させるようにしてもよい。
【００３７】
なお、上述の説明から明らかなように、主再生制御部２１、サーチ制御部２２、表示制御部２５、及びサーボ制御部３４が集合的に制御手段として機能することになる。
【００３８】
以上のように、この実施の形態１によれば、ディスクからの読み取り不良が検知されると、再生時間（例えば、１秒間隔）と異なる擬似再生時間（例えば、２秒間隔）を得て、擬似再生時間に応じてスキップ処理を行うとともに擬似再生時間を表示部に表示するようにしたので、ディスクに読み取り不良が生じた際、ユーザはスキップ処理が行われているという処理状況を的確に認知することができる。
【００３９】
この実施の形態１によれば、ディスクに書き込まれたＴＯＣ情報と擬似再生時間とに応じて各曲の先頭時間と擬似再生時間とを比較して現曲を検索して、擬似再生時間と検索した現曲の先頭時間との差をトラック再生時間として得て、曲番号及びトラック再生時間を表示部に表示するようにしたので、ユーザはスキップ処理中においても曲が変化したことを容易に認知することができるという効果がある。
【００４０】
この実施の形態１によれば、スキップ処理が連続して行われると、擬似再生時間の間隔を変化させるようにしたので、ユーザは容易にスキップ処理が連続して行われていることを認知することができる。
【００４１】
この実施の形態１によれば、曲の一つ全体に亘ってスキップ処理が行われると、当該曲の曲番号を記録して、再度ディスクの再生が行われる際、記録された曲番号に応じて当該曲全体をスキップ処理するようにしたので、短時間に正常な再生に移行できるという効果がある。
【図面の簡単な説明】
【００４２】
【図１】この発明の実施の形態１による情報記録媒体再生装置の一例である光ディスク再生装置を示す図である。
【図２】図１に示す制御装置（マイコン）及び再生制御部（信号処理ＩＣ）の構成を示すブロック図である。
【図３】図１に示す光ディスク再生装置で読み取り不良が発生した際の処理を説明するためのフローチャートである。
【図４】図２に示す擬似再生時間演算手段の構成を示すブロック図である。
【符号の説明】
【００４３】
１０  光ディスク再生装置、１１  制御装置（マイコン）、１２  再生制御部（信号処理ＩＣ）、１３  モータドライバ、１４  スピンドルモータ、１５  ピックアップ駆動モータ、１６  ピックアップ、１７  高周波（ＲＦ）アンプ、１８  表示部、１９  ＣＤ、２１  主再生制御部、２２  サーチ制御部、２３  ＴＯＣ情報記憶部、２４  擬似再生時間演算手段、２５  表示制御部、３１  デコーダ、３２  時間情報抽出部、３３  データ欠落検出部、３４  サーボ制御部、４１  時間比較手段、４２  トラック（Ｔｒ）時間換算手段、４３  擬似再生時間演算部。
【図１】
2006331550.tif 000003
【図２】
2006331550.tif 000004
【図３】
2006331550.tif 000005
【図４】
2006331550.tif 000006